(57)【要約】  ワイヤハーネス（ＷＨ）に適用される電気接続箱（１）は、内部に形成され電子部品（２）を収容する収容空間部（３５）、及び、内部において収容空間部（３５）の水平方向側方に区画壁部（３１ｂ）を介して区画されて鉛直方向に沿って延在し内部に浸入した水を鉛直方向下側に誘導する誘導空間部（３９）を有する筐体（３）を備え、筐体（３）は、誘導空間部（３９）内に設けられ、誘導空間部（３９）内を鉛直方向下側に誘導される水を、誘導空間部（３９）の鉛直方向下方に位置する回避対象部（４０）から回避する方向に誘導する被水回避リブ（３１ｄ）を有することを特徴とする。
2016175187.tif 000002
【特許請求の範囲】
【請求項１】
内部に形成され電子部品を収容する収容空間部、及び、内部において前記収容空間部の水平方向側方に区画壁部を介して区画されて鉛直方向に沿って延在し内部に浸入した水を鉛直方向下側に誘導する誘導空間部を有する筐体を備え、
前記筐体は、前記誘導空間部内に設けられ、前記誘導空間部内を鉛直方向下側に誘導される水を、前記誘導空間部の鉛直方向下方に位置する回避対象部から回避する方向に誘導する被水回避リブを有することを特徴とする、
電気接続箱。
【請求項２】
前記筐体は、前記電子部品に接続される電線が挿通される挿通口を有し、
前記回避対象部は、前記挿通口に挿通され前記誘導空間部の鉛直方向下方を横断する前記電線を含み、
前記被水回避リブは、前記回避対象部の鉛直方向上方に位置し、当該回避対象部の鉛直方向上方からずれた位置まで延在する傾斜面を有する、
請求項１に記載の電気接続箱。
【請求項３】
前記筐体は、前記誘導空間部の鉛直方向下方に位置する底部を有し、
前記回避対象部は、前記底部において、前記被水回避リブによる前記水の回避先より前記電子部品側に近接した底部近接部位を含み、
前記被水回避リブは、前記底部近接部位の鉛直方向上方に位置し、前記回避先まで延在する傾斜面を有する、
請求項１又は請求項２に記載の電気接続箱。
【請求項４】
電線と、
内部に形成され前記電線が接続される電子部品を収容する収容空間部、及び、内部において前記収容空間部の水平方向側方に区画壁部を介して区画されて鉛直方向に沿って延在し内部に浸入した水を鉛直方向下側に誘導する誘導空間部を有する筐体を含んで構成される電気接続箱とを備え、
前記筐体は、前記誘導空間部内に設けられ、前記誘導空間部内を鉛直方向下側に誘導される水を、前記誘導空間部の鉛直方向下方に位置する回避対象部から回避する方向に誘導する被水回避リブを有することを特徴とする、
ワイヤハーネス。
【発明の詳細な説明】
【技術分野】
【０００１】
本発明は、電気接続箱、及び、ワイヤハーネスに関する。
【背景技術】
【０００２】
車両等に搭載されるワイヤハーネスに適用される従来の電気接続箱として、例えば、特許文献１には、容器本体の側壁が外壁と内壁との二重壁により形成されている電気接続箱が開示されている。この電気接続箱は、外壁と内壁との間を仕切る水平リブが設けられ、当該水平リブの上部に、高さ方向に延在する上方リブが所定の間隔を隔てて複数設けられると共に、水平リブの下部に、高さ方向に延在する下方リブが所定の間隔を隔てて複数設けられる。そして、当該電気接続箱は、水平リブの各上方リブ間に、上部空間と下部空間とを連通する連通孔が設けられることで、外壁の変形防止を図ると共に容器本体への水の浸入を抑制している。
【先行技術文献】
【特許文献】
【０００３】
【特許文献１】特開２００２−３６９３３５号公報
【発明の概要】
【発明が解決しようとする課題】
【０００４】
ところで、上述の特許文献１に記載の電気接続箱は、例えば、二重壁内に浸入した水の処理に関して更なる改善の余地がある。【０００５】
本発明は、上記の事情に鑑みてなされたものであって、筐体の内部に浸入した水を適正に処理することができる電気接続箱、及び、ワイヤハーネスを提供することを目的とする。
【課題を解決するための手段】
【０００６】
上記目的を達成するために、本発明に係る電気接続箱は、内部に形成され電子部品を収容する収容空間部、及び、内部において前記収容空間部の水平方向側方に区画壁部を介して区画されて鉛直方向に沿って延在し内部に浸入した水を鉛直方向下側に誘導する誘導空間部を有する筐体を備え、前記筐体は、前記誘導空間部内に設けられ、前記誘導空間部内を鉛直方向下側に誘導される水を、前記誘導空間部の鉛直方向下方に位置する回避対象部から回避する方向に誘導する被水回避リブを有することを特徴とする。【０００７】
また、上記電気接続箱では、前記筐体は、前記電子部品に接続される電線が挿通される挿通口を有し、前記回避対象部は、前記挿通口に挿通され前記誘導空間部の鉛直方向下方を横断する前記電線を含み、前記被水回避リブは、前記回避対象部の鉛直方向上方に位置し、当該回避対象部の鉛直方向上方からずれた位置まで延在する傾斜面を有するものとすることができる。【０００８】
また、上記電気接続箱では、前記筐体は、前記誘導空間部の鉛直方向下方に位置する底部を有し、前記回避対象部は、前記底部において、前記被水回避リブによる前記水の回避先より前記電子部品側に近接した底部近接部位を含み、前記被水回避リブは、前記底部近接部位の鉛直方向上方に位置し、前記回避先まで延在する傾斜面を有するものとすることができる。【０００９】
上記目的を達成するために、本発明に係るワイヤハーネスは、電線と、内部に形成され前記電線が接続される電子部品を収容する収容空間部、及び、内部において前記収容空間部の水平方向側方に区画壁部を介して区画されて鉛直方向に沿って延在し内部に浸入した水を鉛直方向下側に誘導する誘導空間部を有する筐体を含んで構成される電気接続箱とを備え、前記筐体は、前記誘導空間部内に設けられ、前記誘導空間部内を鉛直方向下側に誘導される水を、前記誘導空間部の鉛直方向下方に位置する回避対象部から回避する方向に誘導する被水回避リブを有することを特徴とする。
【発明の効果】
【００１０】
本発明に係る電気接続箱、及び、ワイヤハーネスは、電子部品を収容する収容空間部の水平方向側方に区画壁部を介して区画される誘導空間部によって、筐体の内部に浸入した水を鉛直方向下側に誘導し処理する。このとき、電気接続箱、ワイヤハーネスは、誘導空間部内に設けられた被水回避リブによって、誘導空間部内を鉛直方向下側に誘導される水を、誘導空間部の鉛直方向下方に位置する回避対象部から回避する方向に誘導することができる。これにより、電気接続箱、ワイヤハーネスは、誘導空間部内を誘導される水が回避対象部に付着し当該回避対象部が被水することを抑制することができ、その上で、当該浸入した水を処理することができる。この結果、電気接続箱、ワイヤハーネスは、筐体の内部に浸入した水を適正に処理することができる、という効果を奏する。
【図面の簡単な説明】
【００１１】
【図１】図１は、実施形態１に係る電気接続箱の概略構成を表す分解斜視図である。
【図２】図２は、実施形態１に係る電気接続箱の概略構成を表す斜視図である。
【図３】図３は、図２中のＡ矢視図である。
【図４】図４は、図３中のＢ−Ｂ断面図である。
【図５】図５は、図３中のＣ−Ｃ断面図である。
【図６】図６は、実施形態２に係る電気接続箱の概略構成を表す分解斜視図である。
【図７】図７は、実施形態２に係る電気接続箱の概略構成を表す斜視図である。
【図８】図８は、実施形態２に係る電気接続箱の概略構成を表す部分斜視図である。
【図９】図９は、実施形態２に係る電気接続箱の概略構成を表す部分断面斜視図である。
【図１０】図１０は、実施形態２に係る電気接続箱の概略構成を表す部分断面斜視図である。
【図１１】図１１は、実施形態２に係る電気接続箱の概略構成を表す部分断面斜視図である。
【図１２】図１２は、実施形態２に係る電気接続箱の概略構成を表す部分断面斜視図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態１］
図１は、実施形態１に係る電気接続箱の概略構成を表す分解斜視図である。図２は、実施形態１に係る電気接続箱の概略構成を表す斜視図である。図３は、図２中のＡ矢視図（上面図）である。図４は、図３中のＢ−Ｂ断面図である。図５は、図３中のＣ−Ｃ断面図である。なお、図１は、わかり易くするため電気接続箱に収容される電子部品のうちの一部を二点鎖線で図示している。また、図１、図３、図４、図５は、わかり易くするため電線の一部、又は、全部の図示を省略している。
【００１４】
図１、図２、図３、図４に示す電気接続箱１は、自動車等の車両に搭載され、ワイヤハーネスＷＨに組み込まれ、電線等の接続処理用部品を構成するコネクタ、ヒューズ、リレー、分岐部、電子制御ユニット等の電装品を集約して内部に収容するものである。電気接続箱１は、例えば、車両のエンジンルームや車体の下方部分に設置され、バッテリ等の電源と、車両内に搭載される各種電子機器との間に接続されている。電気接続箱１は、電源から供給された電力を車両内の各種電子機器に分配する。なお、電気接続箱１は、ジャンクションボックス、ヒューズボックス、リレーボックスなどとも呼ばれる場合があるが、本実施形態ではこれらを総称して電気接続箱と呼ぶ。なお、以下では、特に断りのない限り、電気接続箱１が車両に搭載された状態での方向として説明する。
【００１５】
ここで、ワイヤハーネスＷＨは、例えば、車両に搭載される各装置間の接続のために、電源供給や信号通信に用いられる複数の電線Ｗを束にして集合部品とし、コネクタ等で複数の電線Ｗを一度に各装置に接続するようにしたものである。ワイヤハーネスＷＨは、複数の電線Ｗと、電線Ｗに外装される外装部材としてのコルゲートチューブＴと、当該電線Ｗと電気的に接続される電気接続箱１とを備える。電線Ｗは、例えば、複数の導電性の金属素線を撚り合わせた導体部（芯線）と、当該導体部の外側を覆う絶縁性の被覆部とを含んで構成される。コルゲートチューブＴは、可撓性を有する筒状（管状）、ここでは、円筒状に形成される。コルゲートチューブＴは、典型的には、外周面に周方向に沿った凹凸が複数形成された蛇腹形状をなしており、その内側に電線Ｗが挿入される。ワイヤハーネスＷＨは、複数の電線Ｗを束ねて集約し、当該束ねられた電線Ｗの外側にコルゲートチューブＴが装着されると共に、束ねられた電線Ｗの端部に接続部としてのコネクタ等を介して電気接続箱１が電気的に接続される。ワイヤハーネスＷＨは、この他、さらに、グロメット、プロテクタ、固定具等を含んで構成されてもよい。
【００１６】
そして、電気接続箱１は、電子部品２と、電子部品２を収容する筐体３と、筐体３に組み付けられるカバー部材としてのコルゲートカバー４とを備える。電気接続箱１は、筐体３の内部の収容空間部３５に、種々の電子部品２が収容される。電気接続箱１は、筐体３に挿通口３６を有し、筐体３に収容された電子部品２に電気的に接続される電線Ｗを、当該挿通口３６を介して筐体３の内外に渡って挿通すると共に、当該電線Ｗを挿通口３６の外部側で屈曲させてコルゲートチューブＴと共に筐体３の壁体（後述の側壁部３１ａ）に沿って延在させたものである。この電気接続箱１は、一例として、コルゲートカバー４が筐体３に組み付けられることで、筐体３とコルゲートカバー４との間にコルゲートチューブＴの端部を保持するものである。これにより、電気接続箱１は、例えば、電気接続箱１に配索される電線Ｗの配索本数や径が変更された場合であっても、挿通口３６においてコルゲートチューブＴの端部が保持されることで、水が挿通口３６を介して筐体３内に直接的に浸入してしまうことを抑制したものである。以下、各図を参照して、電気接続箱１の各構成について具体的に説明する。
【００１７】
電子部品２は、筐体３の内部に収容され、電線Ｗが電気的に接続されるものである。電子部品２は、複数設けられる。電子部品２は、例えば、コネクタ、ヒューズ、リレー、分岐部、電子制御ユニット、これらをユニット化した電子部品ユニット等である。
【００１８】
筐体３は、内部に形成される収容空間部３５に電子部品２を収容するものであり、第１部材としてのフレーム３１、第２部材としてのロアカバー３２、及び、第３部材としてのアッパカバー３３を含んで構成される。筐体３は、フレーム３１、ロアカバー３２、及び、アッパカバー３３が分割された３層分割構造となっており、所定の積層方向に沿って積層され相互に組み付けられると共に内部に電子部品２を収容する収容空間部３５を区画する。フレーム３１、ロアカバー３２、及び、アッパカバー３３は、絶縁性の合成樹脂によって形成される。
【００１９】
フレーム３１は、電子部品２が組み付けられる収容空間部３５を形成する主たる部材である。フレーム３１は、多角形筒状（矩形筒状）に形成された壁体である側壁部３１ａによって中空状に形成される。フレーム３１は、この電気接続箱１がエンジンルーム等に接続された状態で、鉛直方向上側、及び、鉛直方向下側に開口が位置する。ロアカバー３２は、フレーム３１の鉛直方向下側の開口を塞ぐ皿状（トレイ状）の部材である。ロアカバー３２は、多角形筒状（矩形筒状）に形成された壁体である側壁部３２ａと、側壁部３２ａの一方の開口（鉛直方向下側の開口）を塞ぐ底部３２ｂとによって中空状に形成される。アッパカバー３３は、フレーム３１の鉛直方向上側の開口を塞ぐ蓋状の部材である。アッパカバー３３は、多角形筒状（矩形筒状）に形成された壁体である側壁部３３ａと、側壁部３３ａの一方の開口（鉛直方向上側の開口）を塞ぐ天井部３３ｂとによって中空状に形成される。筐体３は、フレーム３１の鉛直方向下側の開口とロアカバー３２の開口とが対向し、フレーム３１の鉛直方向上側の開口とアッパカバー３３の開口とが対向するようにして、ロアカバー３２がフレーム３１の鉛直方向下側に組み付けられアッパカバー３３がフレーム３１の鉛直方向上側に組み付けられる。筐体３は、フレーム３１に対して、種々の形式の係止機構３４を介して、アッパカバー３３、ロアカバー３２が係止される。なお、フレーム３１とアッパカバー３３とロアカバー３２とが積層される積層方向は、典型的には、この電気接続箱１がエンジンルーム等に接続された状態で、鉛直方向に沿っているが、当該電気接続箱１の設置状況によっては当該積層される方向が鉛直方向に対して所定の角度を有して設置される場合もある。
【００２０】
そして、フレーム３１、ロアカバー３２、及び、アッパカバー３３によって構成される筐体３は、収容空間部３５と、挿通口３６と、外装設置部３７とを有する。
【００２１】
収容空間部３５は、フレーム３１、ロアカバー３２、及び、アッパカバー３３によって区画され、当該フレーム３１、ロアカバー３２、及び、アッパカバー３３によって囲われた空間である。すなわち、収容空間部３５は、鉛直方向と交差する方向がフレーム３１の側壁部３１ａ、ロアカバー３２の側壁部３２ａ、アッパカバー３３の側壁部３３ａによって区画され、鉛直方向下側がロアカバー３２の底部３２ｂによって区画され、鉛直方向上側がアッパカバー３３の天井部３３ｂによって区画される。電気接続箱１は、この収容空間部３５内にブロック３８が設けられる。ブロック３８は、フレーム３１に対して着脱可能に組み付けられる。ブロック３８は、フレーム３１等と同様に絶縁性の合成樹脂によって形成されると共に多数のキャビティ３８ａが形成される。電子部品２は、キャビティ３８ａ内に組み付けられる。ブロック３８は、各キャビティ３８ａに対して鉛直方向上側から電子部品２が差し込まれ嵌合されると共に、鉛直方向下側から電線Ｗの端末を構成する端子等が差し込まれ嵌合されることで、各電子部品２と電線Ｗとが電気的に接続される。
【００２２】
挿通口３６は、収容空間部３５内の電子部品２に接続される電線Ｗを筐体３の内外、言い換えれば、収容空間部３５の内外に渡って挿通させるものであり、ここでは、フレーム３１に形成される。挿通口３６は、フレーム３１において、積層方向と交差する方向の壁体、すなわち、側壁部３１ａを構成する１つの壁面に形成される。挿通口３６は、フレーム３１の鉛直方向下側の端部、すなわち、ロアカバー３２が設けられる側の端部に形成される。挿通口３６は、フレーム３１に対してロアカバー３２が組み付けられた状態で鉛直方向上側に向けて開口する。収容空間部３５内の電子部品２に接続される電線Ｗは、挿通口３６を介して筐体３の内外に渡って挿通され、配索される。
【００２３】
外装設置部３７は、フレーム３１の挿通口３６の外部側に形成されコルゲートチューブＴの端部が積層方向に沿って設置されるものである。外装設置部３７は、フレーム３１において、積層方向と交差する方向の壁体、すなわち、側壁部３１ａを構成する壁面のうち上述の挿通口３６が形成される壁面に設けられる。外装設置部３７は、フレーム３１において、収容空間部３５が形成される内部側とは反対側の外部側に露出するようにして側壁部３１ａと一体で形成される。外装設置部３７は、コルゲートチューブＴの外形に沿うような半円筒状に形成される部分を含んで構成され、内周面側にコルゲートチューブＴの端部が設置される。
【００２４】
コルゲートカバー４は、筐体３に組み付けられ、筐体３との間にコルゲートチューブＴの端部を保持するものである。コルゲートカバー４は、フレーム３１等と同様に絶縁性の合成樹脂によって形成され、コルゲートチューブＴの外形に沿うような半円筒状に形成される部分を含んで構成される。コルゲートカバー４は、一対の係止部４ａを介して外装設置部３７に係止されフレーム３１との間にコルゲートチューブＴの端部を挟み込んで保持する。
【００２５】
ところで、本実実施形態の電気接続箱１は、図１、図４に示すように、フレーム３１が二重壁構造となっており、フレーム３１とアッパカバー３３との接続部分の隙間を介して筐体３の内部側に浸入した水を、当該二重壁の内側の空間部（後述する誘導空間部３９）を介して鉛直方向下側に誘導することで、電子部品２が収容されている収容空間部３５側への水の浸入を抑制している。
【００２６】
具体的には、電気接続箱１は、筐体３が誘導空間部３９を有する。誘導空間部３９は、筐体３の内部において収容空間部３５の水平方向側方に区画壁部３１ｂを介して区画されて鉛直方向に沿って延在し内部に浸入した水を鉛直方向下側に誘導するものである。区画壁部３１ｂは、側壁部３１ａより小さい多角形筒状（矩形筒状）に形成された壁体である。区画壁部３１ｂは、フレーム３１の側壁部３１ａの内部側に、当該側壁部３１ａと間隔をあけて形成される。区画壁部３１ｂは、外面が水平方向に対して側壁部３１ａの内面と対向しリブ３１ｃ（図５参照）を介して側壁部３１ａと一体で形成される。リブ３１ｃは、区画壁部３１ｂと側壁部３１ａとの間に介在しこれらを連結するものであり、図５に示すように、積層方向（鉛直方向）に沿って延在する。ここでは、リブ３１ｃは、水平方向に間隔をあけて複数設けられる。フレーム３１は、側壁部３１ａと区画壁部３１ｂとの間に形成された空間部が誘導空間部３９として形成される。区画壁部３１ｂ、及び、当該区画壁部３１ｂによって区画される誘導空間部３９は、収容空間部３５の水平方向側方を取り囲むようにして形成される（ただし、一部に誘導空間部３９がない部分が存在することは許容される。）。つまり、筐体３は、フレーム３１において、側壁部３１ａが二重壁構造の外側の壁体を構成し、区画壁部３１ｂが二重壁構造の内側の壁体を構成する。
【００２７】
なお、この筐体３は、フレーム３１とアッパカバー３３との接続部分に迷路状の構造を構成することで、フレーム３１とアッパカバー３３との接続部分の隙間を介した水の浸入自体を抑制している。具体的には、アッパカバー３３は、側壁部３３ａの外部側の面に外側壁部３３ｃが形成される。外側壁部３３ｃは、側壁部３３ａと水平方向に間隔をあけて当該側壁部３３ａと一体で形成される。筐体３は、アッパカバー３３とフレーム３１とが組み付けられた状態で、フレーム３１の側壁部３１ａの鉛直方向上側端部がアッパカバー３３の側壁部３３ａと外側壁部３３ｃとの間の空間部に挿入され、アッパカバー３３の側壁部３３ａの鉛直方向下側端部がフレーム３１の側壁部３１ａと区画壁部３１ｂとの間の空間部、すなわち、誘導空間部３９に挿入される。つまり、筐体３は、当該筐体３の内部側から外部側に向かって区画壁部３１ｂ、側壁部３３ａ、側壁部３１ａ、外側壁部３３ｃの順で重なり重複部位を構成する。これにより、電気接続箱１は、フレーム３１の側壁部３１ａ、区画壁部３１ｂとアッパカバー３３の側壁部３３ａ、外側壁部３３ｃとが筐体３の内外方向に重なり互い違いに入り組んだ迷路状の構造を構成するので、フレーム３１とアッパカバー３３との隙間を介して外部側から収容空間部３５側に水が浸入することを抑制することができる。そして、電気接続箱１は、仮にフレーム３１とアッパカバー３３との接続部分の隙間を介して筐体３の内部側に水が浸入しても、当該水を、誘導空間部３９を介して鉛直方向下側に誘導することで、電子部品２が収容されている収容空間部３５側への水の浸入を抑制することができる。
【００２８】
そして、本実施形態の筐体３は、さらに、誘導空間部３９内に被水回避リブ３１ｄを有することで、筐体３の内部に浸入した水を適正に処理することができるようにしている。
【００２９】
具体的には、被水回避リブ３１ｄは、図４、図５に示すように、誘導空間部３９内に設けられ、誘導空間部３９内を鉛直方向下側に誘導される水を、予め設定される回避対象部４０から回避する方向に誘導するものである。ここで、回避対象部４０とは、誘導空間部３９の鉛直方向下方に位置するものであり、水が付着することが好ましくない物体である。回避対象部４０は、水が付着することが好ましくない物体として、挿通口３６に挿通され誘導空間部３９の鉛直方向下方を横断する電線Ｗを含む。そして、被水回避リブ３１ｄは、回避対象部４０、ここでは、誘導空間部３９の鉛直方向下方を横断する電線Ｗの鉛直方向上方に位置し、当該回避対象部４０の鉛直方向上方からずれた位置まで延在する傾斜面３１ｅを有する。被水回避リブ３１ｄは、側壁部３１ａと区画壁部３１ｂとの間にこれらと一体で形成される。被水回避リブ３１ｄは、棒状の部分として形成される。ここでは、被水回避リブ３１ｄは、誘導空間部３９の鉛直方向下方を横断する電線Ｗの鉛直方向上方に位置するリブ３１ｃの水平方向両側に１つずつ、合計２つが設けられる。各被水回避リブ３１ｄは、鉛直方向に対して交差するようにして形成され、当該リブ３１ｃ側の端部が鉛直方向上側に位置し、他方側の端部が鉛直方向下側に位置するように形成されることで、鉛直方向上側の面に、回避対象部４０、ここでは、誘導空間部３９の鉛直方向下方を横断する電線Ｗの鉛直方向上方からずれた位置まで延在する傾斜面３１ｅが形成される。傾斜面３１ｅは、回避対象部４０の鉛直方向上方において、誘導空間部３９内を鉛直方向下側に誘導される水を、回避対象部４０から回避する方向、ここでは、回避対象部４０の鉛直方向上方からずれた位置まで誘導する。
【００３０】
上記のように構成される電気接続箱１は、例えば、図４中に矢印で示すように、仮にフレーム３１とアッパカバー３３との接続部分の隙間を介して筐体３の内部に水が浸入した場合であっても、当該浸入した水を、誘導空間部３９を介して鉛直方向下側に誘導することで、電子部品２が収容されている収容空間部３５側へ水が浸入することを抑制することができる。このとき、電気接続箱１は、図５中に矢印で示すように、誘導空間部３９内を鉛直方向下側に誘導される水を、被水回避リブ３１ｄによって、回避対象部４０から回避する方向に誘導する。より具体的には、電気接続箱１は、誘導空間部３９内を鉛直方向下側に誘導される水を、被水回避リブ３１ｄの傾斜面３１ｅ上を自重によって移動させることで、回避対象部４０、ここでは、誘導空間部３９の鉛直方向下方を横断する電線Ｗの鉛直方向上方からずれた位置まで誘導する。この結果、電気接続箱１は、誘導空間部３９内を鉛直方向下側に誘導される水が誘導空間部３９の鉛直方向下方を横断する電線Ｗに付着したり、当該電線Ｗで跳ね返ったりすることを抑制することができる。そして、この電気接続箱１では、誘導空間部３９内を鉛直方向下側に誘導され、ロアカバー３２の底部３２ｂ上に落下した水は、例えば、底部３２ｂに形成された排出口（不図示）等から筐体３の外部に排出されることで適正に処理される。
【００３１】
以上で説明した電気接続箱１によれば、内部に形成され電子部品２を収容する収容空間部３５、及び、内部において収容空間部３５の水平方向側方に区画壁部３１ｂを介して区画されて鉛直方向に沿って延在し内部に浸入した水を鉛直方向下側に誘導する誘導空間部３９を有する筐体３を備える。以上で説明したワイヤハーネスＷＨによれば、電線Ｗと、電線Ｗが接続される電子部品２を収容する上記電気接続箱１とを備える。そして、筐体３は、誘導空間部３９内に設けられ、誘導空間部３９内を鉛直方向下側に誘導される水を、誘導空間部３９の鉛直方向下方に位置する回避対象部４０から回避する方向に誘導する被水回避リブ３１ｄを有する。
【００３２】
したがって、電気接続箱１、ワイヤハーネスＷＨは、電子部品２を収容する収容空間部３５の水平方向側方に区画壁部３１ｂを介して区画される誘導空間部３９によって、筐体３の内部に浸入した水を鉛直方向下側に誘導し処理する。このとき、電気接続箱１、ワイヤハーネスＷＨは、誘導空間部３９内に設けられた被水回避リブ３１ｄによって、誘導空間部３９内を鉛直方向下側に誘導される水を、誘導空間部３９の鉛直方向下方に位置する回避対象部４０から回避する方向に誘導することができる。これにより、電気接続箱１、ワイヤハーネスＷＨは、誘導空間部３９内を誘導される水が回避対象部４０に付着し当該回避対象部４０が被水することを抑制することができ、その上で、当該浸入した水を処理することができる。また、電気接続箱１、ワイヤハーネスＷＨは、回避対象部４０が被水することを抑制することができることで、誘導空間部３９内を落下する水が回避対象部４０で跳ね返ったりすることを抑制することができ、例えば、電子部品２が収容されている収容空間部３５側に水が跳ね返ることを確実に抑制することができる。この結果、電気接続箱１、ワイヤハーネスＷＨは、筐体３の内部に浸入した水を適正に処理することができる。
【００３３】
さらに、以上で説明した電気接続箱１、ワイヤハーネスＷＨによれば、筐体３は、電子部品２に接続される電線Ｗが挿通される挿通口３６を有し、回避対象部４０は、挿通口３６に挿通され誘導空間部３９の鉛直方向下方を横断する電線Ｗを含み、被水回避リブ３１ｄは、回避対象部４０の鉛直方向上方に位置し、当該回避対象部４０の鉛直方向上方からずれた位置まで延在する傾斜面３１ｅを有する。したがって、電気接続箱１、ワイヤハーネスＷＨは、誘導空間部３９の鉛直方向下方に電線Ｗの挿通口３６があり、誘導空間部３９の鉛直方向下方を電線Ｗが横断するような構成であっても、誘導空間部３９内を鉛直方向下側に誘導される水を被水回避リブ３１ｄの傾斜面３１ｅ上を自重によって移動させることができる。この結果、電気接続箱１、ワイヤハーネスＷＨは、当該水を回避対象部４０である電線Ｗの鉛直方向上方からずれた位置まで誘導することができるので、筐体３の内部に浸入した水を適正に処理することができる。
【００３４】
［実施形態２］
図６は、実施形態２に係る電気接続箱の概略構成を表す分解斜視図である。図７は、実施形態２に係る電気接続箱の概略構成を表す斜視図である。図８は、実施形態２に係る電気接続箱の概略構成を表す部分斜視図である。図９、図１０、図１１、図１２は、実施形態２に係る電気接続箱の概略構成を表す部分断面斜視図である。実施形態２に係る電気接続箱、ワイヤハーネスは、回避対象部が実施形態１とは異なる。以下では、上述した実施形態と同様の構成要素には共通の符号が付されるとともに、共通する構成、作用、効果については、重複した説明はできるだけ省略する。なお、以下の説明では、わかり易くするため、図６、図９においては電気接続箱に収容される電子部品のうちの一部を二点鎖線で図示し、他の図においては当該電子部品の図示自体を省略している。また、図８、図９、図１０、図１１、図１２は、わかり易くするためアッパカバーの図示を省略している。
【００３５】
図６、図７等に示す本実施形態に係る電気接続箱２０１、及び、ワイヤハーネスＷＨ２は、回避対象部２４０が上述の電気接続箱１、ワイヤハーネスＷＨと異なる。またここでは、電気接続箱２０１、ワイヤハーネスＷＨ２は、回避対象部２４０以外にも筐体２０３等の構成が上述の電気接続箱２０１、ワイヤハーネスＷＨ２と異なる。
【００３６】
図６、図７等に示す電気接続箱２０１は、電気接続箱１と同様に、ワイヤハーネスＷＨ２に組み込まれる。ワイヤハーネスＷＨ２は、複数の電線Ｗと、当該電線Ｗと電気的に接続される電気接続箱２０１とを備える。なおここでは、ワイヤハーネスＷＨ２は、電線Ｗに外装される外装部材としてのコルゲートチューブＴ（図１等参照）を図示していないが、当該コルゲートチューブＴを備えていてもよい。
【００３７】
本実施形態の電気接続箱２０１は、上述の筐体３（図１等参照）にかえて、電子部品２を収容する筐体２０３を備えると共に、上述で説明したコルゲートカバー４（図１等参照）を備えていない。電気接続箱２０１は、筐体２０３の内部の収容空間部２３５に、種々の電子部品２が収容される。電気接続箱２０１は、筐体２０３に挿通口２３６を有し、筐体２０３に収容された電子部品２に電気的に接続される電線Ｗが、当該挿通口２３６を介して筐体２０３の内外に渡って挿通される。以下、各図を参照して、電気接続箱２０１の各構成について具体的に説明する。なお、筐体２０３は、筐体３と比較して大きさ、形状、外装設置部３７（図１等参照）を備えない点等が異なるが概略構成としてはほぼ同等であるので、可能な限り説明を省略する。
【００３８】
筐体２０３は、内部に形成される収容空間部２３５に電子部品２を収容するものであり、第１部材としてのフレーム２３１、第２部材としてのロアカバー２３２、及び、第３部材としてのアッパカバー２３３を含んで構成される。フレーム２３１は、上述のフレーム３１（図１等参照）に相当し、ロアカバー２３２は、上述のロアカバー３２（図１等参照）に相当し、アッパカバー２３３は、上述のアッパカバー３３（図１等参照）に相当する。筐体２０３は、フレーム２３１、ロアカバー２３２、及び、アッパカバー２３３が所定の積層方向に沿って積層され相互に組み付けられると共に内部に電子部品２を収容する収容空間部２３５を区画する。ここでは、筐体２０３は、積層方向と直交する長辺方向に沿った長さが、積層方向、及び、長辺方向と直交する短辺方向に沿った長さより相対的に長い形状に形成される。
【００３９】
フレーム２３１は、電子部品２が組み付けられる収容空間部２３５を形成する主たる部材である。フレーム２３１は、多角形筒状に形成された壁体である側壁部２３１ａによって中空状に形成される。ロアカバー２３２は、フレーム２３１の鉛直方向下側の開口を塞ぐ皿状（トレイ状）の部材である。ロアカバー２３２は、多角形筒状に形成された壁体である側壁部２３２ａと、側壁部２３２ａの一方の開口（鉛直方向下側の開口）を塞ぐ底部２３２ｂとによって中空状に形成される。アッパカバー２３３は、フレーム２３１の鉛直方向上側の開口を塞ぐ蓋状の部材である。アッパカバー２３３は、多角形筒状に形成された壁体である側壁部２３３ａと、側壁部２３３ａの一方の開口（鉛直方向上側の開口）を塞ぐ天井部２３３ｂとによって中空状に形成される。筐体２０３は、フレーム２３１の鉛直方向下側の開口とロアカバー２３２の開口とが対向し、フレーム２３１の鉛直方向上側の開口とアッパカバー２３３の開口とが対向するようにして、ロアカバー２３２がフレーム２３１の鉛直方向下側に組み付けられアッパカバー２３３がフレーム２３１の鉛直方向上側に組み付けられる。筐体２０３は、フレーム２３１に対して、種々の形式の係止機構２３４を介して、アッパカバー２３３、ロアカバー２３２が係止される。
【００４０】
そして、フレーム２３１、ロアカバー２３２、及び、アッパカバー２３３によって構成される筐体２０３は、収容空間部２３５と、挿通口２３６とを有する。収容空間部２３５は、鉛直方向と交差する方向がフレーム２３１の側壁部２３１ａ、ロアカバー２３２の側壁部２３２ａ、アッパカバー２３３の側壁部２３３ａによって区画され、鉛直方向下側がロアカバー２３２の底部２３２ｂによって区画され、鉛直方向上側がアッパカバー２３３の天井部２３３ｂによって区画される。電気接続箱２０１は、この収容空間部２３５内に多数のキャビティ２３８ａが形成されたブロック２３８が設けられ、当該キャビティ２３８ａ内に電子部品２が組み付けられる。挿通口２３６は、ロアカバー２３２において側壁部２３２ａと底部２３２ｂとが交わる部分に形成される。
【００４１】
そして、電気接続箱２０１は、図６等に示すように、筐体２０３が誘導空間部２３９を有する。すなわち、電気接続箱２０１は、電気接続箱１と同様に、フレーム２３１が二重壁構造となっており、フレーム２３１とアッパカバー２３３との接続部分の隙間を介して筐体２０３の内部側に浸入した水を、当該二重壁の内側の当該誘導空間部２３９を介して鉛直方向下側に誘導することで、電子部品２が収容されている収容空間部２３５側への水の浸入を抑制している。誘導空間部２３９は、筐体２０３の内部において収容空間部２３５の水平方向側方に区画壁部２３１ｂを介して区画されて鉛直方向に沿って延在し内部に浸入した水を鉛直方向下側に誘導するものである。区画壁部２３１ｂは、側壁部２３１ａより小さい多角形筒状に形成された壁体である。区画壁部２３１ｂは、フレーム２３１の側壁部２３１ａの内部側に、当該側壁部２３１ａと間隔をあけて形成される。区画壁部２３１ｂは、外面が水平方向に対して側壁部２３１ａの内面と対向し、後述の被水回避リブ２３１ｄを含む種々のリブを介して側壁部２３１ａと一体で形成される。フレーム２３１は、側壁部２３１ａと区画壁部２３１ｂとの間に形成された空間部が誘導空間部２３９として形成される。区画壁部２３１ｂ、及び、当該区画壁部２３１ｂによって区画される誘導空間部２３９は、収容空間部２３５の水平方向側方を取り囲むようにして形成される（ただし、一部に誘導空間部２３９がない部分が存在することは許容される。）。つまり、筐体２０３は、フレーム２３１において、側壁部２３１ａが二重壁構造の外側の壁体を構成し、区画壁部２３１ｂが二重壁構造の内側の壁体を構成する。なお、この筐体２０３も、上述した筐体３と同様に、フレーム２３１とアッパカバー２３３との接続部分に迷路状の構造を構成することで、フレーム２３１とアッパカバー２３３との接続部分の隙間を介した水の浸入自体を抑制している。そして、電気接続箱２０１は、仮にフレーム２３１とアッパカバー２３３との接続部分の隙間を介して筐体２０３の内部側に水が浸入しても、当該水を、誘導空間部２３９を介して鉛直方向下側に誘導することで、電子部品２が収容されている収容空間部２３５側への水の浸入を抑制することができる。
【００４２】
そして、本実施形態の筐体２０３は、図８、図９、図１０、図１１、図１２に示すように、誘導空間部２３９内に被水回避リブ２３１ｄを有することで、筐体２０３の内部に浸入した水を適正に処理することができるようにしている。
【００４３】
具体的には、被水回避リブ２３１ｄは、誘導空間部２３９内に設けられ、誘導空間部２３９内を鉛直方向下側に誘導される水を、予め設定される回避対象部２４０から回避する方向に誘導するものである。ここで、回避対象部２４０とは、誘導空間部２３９の鉛直方向下方に位置するものであり、水が付着することが好ましくない物体である。本実施形態の回避対象部２４０は、水が付着することが好ましくない物体として、誘導空間部２３９の鉛直方向下方に位置するロアカバー２３２の底部２３２ｂにおいて、被水回避リブ２３１ｄによる水の回避先より電子部品２側に近接した底部近接部位２４０ａを含む。本実施形態のロアカバー２３２の底部２３２ｂは、積層方向に沿って、フレーム２３１側、言い換えれば、収容空間部２３５側に突出するようにして隆起した隆起部位２３２ｃ（図６、図７等も参照）を含み、当該隆起部位２３２ｃの内側、すなわち、収容空間部２３５側の面が電子部品２側に近接した底部近接部位２４０ａを構成する。底部近接部位２４０ａは、積層方向に沿って視て（以下、「積層方向視」という場合がある。）、筐体２０３全体が長辺方向に沿って略矩形状に出っ張るようにして形成された膨出部２４１内に位置する。当該底部近接部位２４０ａは、典型的には、隆起部位２３２ｃの頂上部を含む部位であり、言い換えれば、底部２３２ｂにおいて電子部品２側に最も近接した部位を含む位置である（特に、図９、図１０等参照）。
【００４４】
そして、被水回避リブ２３１ｄは、回避対象部２４０、ここでは、誘導空間部２３９の鉛直方向下方に位置し被水回避リブ２３１ｄによる水の回避先より電子部品２側に近接した底部近接部位２４０ａの鉛直方向上方に位置し、当該底部近接部位２４０ａの鉛直方向上方からずれた位置、ここでは、筐体２０３内部の角部に位置する回避先まで延在する傾斜面２３１ｅを有する。被水回避リブ２３１ｄは、側壁部２３１ａと区画壁部２３１ｂとの間にこれらと一体で形成される。被水回避リブ２３１ｄは、棒状の部分として形成される。ここでは、被水回避リブ２３１ｄは、第１リブ２３１ｄａ、第２リブ２３１ｄｂ、及び、第３リブ２３１ｄｃを含んで構成される。第１リブ２３１ｄａは、膨出部２４１において、回避対象部２４０を構成する底部近接部位２４０ａの鉛直方向上側、言い換えれば、隆起部位２３２ｃの鉛直方向上側に位置し長辺方向に沿って延在して形成される（図９、図１０、図１１等参照）。第１リブ２３１ｄａは、膨出部２４１の長辺方向に沿った辺のうち短辺方向の中央側に位置する辺に沿って形成される。ここでは、第１リブ２３１ｄａは、長辺方向に対してはほぼ水平に形成され、短辺方向に対しては後述の第３リブ２３１ｄｃ側が鉛直方向下側となるように傾斜して形成される。第２リブ２３１ｄｂは、第１リブ２３１ｄａの長辺方向の一方側の端部、ここでは、膨出部２４１の出っ張り先端側の端部から短辺方向に沿って延在して形成される（図１１等参照）。第２リブ２３１ｄｂは、膨出部２４１の短辺方向に沿った辺、より詳細には、膨出部２４１の出っ張り先端側の短辺方向に沿った辺に沿って形成される（図１１等参照）。第２リブ２３１ｄｂは、第１リブ２３１ｄａと連続するように形成され、傾斜面２３１ｅを含んで形成される。第２リブ２３１ｄｂの傾斜面２３１ｅは、第１リブ２３１ｄａ側の端部から被水回避リブ２３１ｄによる水の回避先となる筐体２０３内部の短辺方向一方側の角部まで延在する。第２リブ２３１ｄｂの傾斜面２３１ｅは、第１リブ２３１ｄａ側の端部が鉛直方向上側に位置し、当該水の回避先となる筐体２０３内部の短辺方向一方側の角部側が鉛直方向下側に位置するように傾斜して形成される。第３リブ２３１ｄｃは、第１リブ２３１ｄａの長辺方向の他方側の端部、ここでは、第２リブ２３１ｄｂ側とは反対側の端部から短辺方向に沿って延在して形成される（図１２等参照）。第３リブ２３１ｄｃは、短辺方向に沿って第２リブ２３１ｄｂ側とは反対側に膨出部２４１から突出するように短辺方向に沿って形成される。第３リブ２３１ｄｃは、第１リブ２３１ｄａと連続するように形成され、傾斜面２３１ｅを含んで形成される。第３リブ２３１ｄｃの傾斜面２３１ｅは、被水回避リブ２３１ｄによる水の回避先となる筐体２０３内部の短辺方向他方側の角部まで延在する。第３リブ２３１ｄｃの傾斜面２３１ｅは、第１リブ２３１ｄａ側の端部が鉛直方向上側に位置し、当該水の回避先となる筐体２０３内部の短辺方向他方側の角部側が鉛直方向下側に位置するように傾斜して形成される。被水回避リブ２３１ｄは、鉛直方向上側の面に上記各傾斜面２３１ｅが形成される。各傾斜面２３１ｅは、回避対象部２４０の鉛直方向上方において、誘導空間部２３９内を鉛直方向下側に誘導される水を、回避対象部２４０から回避する方向、ここでは、回避対象部２４０の鉛直方向上方からずれた回避先の位置まで誘導する。
【００４５】
上記のように構成される電気接続箱２０１は、例えば、仮にフレーム２３１とアッパカバー２３３との接続部分の隙間を介して筐体２０３の内部に水が浸入した場合であっても、当該浸入した水を、誘導空間部２３９を介して鉛直方向下側に誘導することで、電子部品２が収容されている収容空間部２３５側へ水が浸入することを抑制することができる。このとき、電気接続箱２０１は、図１１、図１２中に矢印で示すように、誘導空間部２３９内を鉛直方向下側に誘導される水を、被水回避リブ２３１ｄによって、回避対象部２４０から回避する方向に誘導する。より具体的には、電気接続箱２０１は、誘導空間部２３９内を鉛直方向下側に誘導される水を、被水回避リブ２３１ｄを構成する第１リブ２３１ｄａ、第２リブ２３１ｄｂ、第３リブ２３１ｄｃやこれらの各傾斜面２３１ｅ上を自重によって移動させることで、回避対象部２４０、ここでは、ロアカバー２３２の底部２３２ｂにおける底部近接部位２４０ａの鉛直方向上方からずれた回避先まで誘導する。この結果、電気接続箱２０１は、誘導空間部２３９内を鉛直方向下側に誘導される水が底部２３２ｂにおいて電子部品２側に近接した底部近接部位２４０ａに付着したり、当該底部近接部位２４０ａで跳ね返ったりすることを抑制することができる。そして、この電気接続箱２０１では、誘導空間部２３９内を鉛直方向下側に誘導され、ロアカバー２３２の底部２３２ｂ上に落下した水は、例えば、底部２３２ｂに形成された排出口（不図示）等から筐体２０３の外部に排出されることで適正に処理される。
【００４６】
以上で説明した電気接続箱２０１、ワイヤハーネスＷＨ２は、誘導空間部２３９内を誘導される水が回避対象部２４０に付着し当該回避対象部２４０が被水することを抑制することができ、その上で、当該浸入した水を処理することができる。また、電気接続箱２０１、ワイヤハーネスＷＨ２は、回避対象部２４０が被水することを抑制することができることで、誘導空間部２３９内を落下する水が回避対象部２４０で跳ね返ったりすることを抑制することができ、例えば、電子部品２が収容されている収容空間部２３５側に水が跳ね返ることを確実に抑制することができる。この結果、電気接続箱２０１、ワイヤハーネスＷＨ２は、筐体２０３の内部に浸入した水を適正に処理することができる。
【００４７】
さらに、以上で説明した電気接続箱２０１、ワイヤハーネスＷＨ２によれば、筐体２０３は、誘導空間部２３９の鉛直方向下方に位置する底部２３２ｂを有し、回避対象部２４０は、底部２３２ｂにおいて、被水回避リブ２３１ｄによる水の回避先より電子部品２側に近接した底部近接部位２４０ａを含み、被水回避リブ２３１ｄは、底部近接部位２４０ａの鉛直方向上方に位置し、回避先まで延在する傾斜面２３１ｅを有する。したがって、電気接続箱２０１、ワイヤハーネスＷＨ２は、筐体２０３の底部２３２ｂにおいて他の部位より電子部品２側に近接した底部近接部位２４０ａを含む構成であっても、誘導空間部２３９内を鉛直方向下側に誘導される水を被水回避リブ２３１ｄの傾斜面２３１ｅ上を自重によって移動させることができる。この結果、電気接続箱２０１、ワイヤハーネスＷＨ２は、当該水を回避対象部２４０である底部近接部位２４０ａの鉛直方向上方からずれた位置まで誘導することができるので、筐体２０３の内部に浸入した水を適正に処理することができる。
【００４８】
なお、上述した本発明の実施形態に係る電気接続箱、及び、ワイヤハーネスは、上述した実施形態に限定されず、請求の範囲に記載された範囲で種々の変更が可能である。本実施形態に係る電気接続箱、及び、ワイヤハーネスは、以上で説明した各実施形態、変形例の構成要素を適宜組み合わせることで構成してもよい。
【００４９】
以上で説明した筐体３、２０３は、フレーム３１、２３１、ロアカバー３２、２３２、及び、アッパカバー３３、２３３が分割された３層分割構造となっているものとして説明したがこれに限らない。
【００５０】
以上で説明した回避対象部４０、２４０は、水が付着することが好ましくない物体として、挿通口３６に挿通され誘導空間部３９の鉛直方向下方を横断する電線Ｗ、あるいは、底部近接部位２４０ａを含むものとして説明したが、コネクタ、ヒューズ、リレー、分岐部、電子制御ユニット、これらをユニット化した電子部品ユニット等の種々の電子部品を含んでいてもよい。
【００５１】
以上で説明した電気接続箱１は、一例として、コルゲートカバー４が筐体３に組み付けられることで、筐体３とコルゲートカバー４との間にコルゲートチューブＴの端部を保持するものとして説明したがこれに限らず、コルゲートカバー４を備えない構成であってもよい。
【符号の説明】
【００５２】
１、２０１    電気接続箱
２    電子部品
３、２０３    筐体
３１ｂ、２３１ｂ    区画壁部
３１ｃ    リブ
３１ｄ、２３１ｄ    被水回避リブ
３１ｅ、２３１ｅ    傾斜面
３２ｂ、２３２ｂ    底部
３５、２３５    収容空間部
３６、２３６    挿通口
３９、２３９    誘導空間部
４０、２４０    回避対象部
２４０ａ    底部近接部位
Ｗ    電線
ＷＨ、ＷＨ２    ワイヤハーネス
【図１】
2016175187.tif 000003
【図２】
2016175187.tif 000004
【図３】
2016175187.tif 000005
【図４】
2016175187.tif 000006
【図５】
2016175187.tif 000007
【図６】
2016175187.tif 000008
【図７】
2016175187.tif 000009
【図８】
2016175187.tif 000010
【図９】
2016175187.tif 000011
【図１０】
2016175187.tif 000012
【図１１】
2016175187.tif 000013
【図１２】
2016175187.tif 000014
【国際調査報告】
2016175187.tif 000015
2016175187.tif 000016
2016175187.tif 000017